(57)【要約】  【課題】  デジタル放送の視聴者の意思の表明を受け付けて、その表明時刻をデジタル放送に含まれる時間情報に基づいて証明するデジタル放送受信装置を提供する。  【解決手段】  デジタル放送受信装置(1)は、デジタル放送に含まれる放送管理信号(PCR,SCR)に基づき基準カウンタを生成する基準カウンタ生成部(15)と、時刻取得キー(16a)を含む操作部(16)と、基準カウンタを用いて時刻を表す時刻情報を生成する制御部(10)を備える。使用者は意思の表明として時刻取得キー(16a)を操作し、制御部(10)は時刻取得キー(16a)の操作に応じて時刻情報を生成する。【選択図】      図３
2005278049.tif 000002
【特許請求の範囲】
【請求項１】
デジタル放送受信装置において、
使用者によって操作される操作部を備え、
受信したデジタル放送に含まれる時間情報に基づいて、操作部が操作された時刻を表す操作時刻情報を生成することを特徴とするデジタル放送受信装置。
【請求項２】
映像信号と音声信号の同期を取るための信号を時間情報として用いて、操作時刻情報を生成することを特徴とする請求項１に記載のデジタル放送受信装置。
【請求項３】
デジタル放送に含まれる時間情報よりも短い周期でカウンタ信号を出力するカウンタ生成部を備え、
受信したデジタル放送に含まれる時間情報をカウンタ信号によって補間して、操作時刻情報を生成する
ことを特徴とする請求項１または請求項２に記載のデジタル放送受信装置。
【請求項４】
操作時刻情報と、当該デジタル放送受信装置または当該デジタル放送受信装置の使用者を特定する使用者情報とを、使用者から指示された送信先に送信することを特徴とする請求項１から請求項３までのいずれか１項に記載のデジタル放送受信装置。
【請求項５】
請求項４に記載の複数のデジタル放送受信装置と、
各デジタル放送受信装置が送信する操作時刻情報と使用者情報とを受信して、受信した使用者情報を対応する操作時刻情報が表す時刻の順に並べるサーバ
を含むことを特徴とする通信システム。
【発明の詳細な説明】
【技術分野】
【０００１】
本発明はデジタル放送の受信装置に関する。
【背景技術】
【０００２】
テレビやラジオによって放送される番組の中には、景品やチケット購入の希望者を先着順で募集するものがある。応募は、電話、電子メール、インターネット等の通信によって行われる。このような番組では応募期間を定めるのが一般的であり、応募開始時刻になると多くの視聴者が応募を始める。このため、応募が短時間に集中し、応募を受け付ける通信装置が全ての応募に対応できなくなったり、通信回線が混み合ったりして、応募ができないという事態が発生することがある。
【０００３】
このような事態が一旦発生すると、視聴者は再度応募を試みるから、事態は一層悪化し、応募ができない期間は長くなる。その結果、応募を早く試みたにもかかわらず、先着の所定人数に入り得ない視聴者が多発する。また、放送でチケット購入等の希望者を募集することが、一般の通信に障害を招くことにもなる。
【０００４】
近年ではデジタル放送が行われているが、デジタル放送でチケット等の希望者を先着順で募集する場合も、応募は電話等の通信によって行われている。
【０００５】
デジタル放送で配信されるデータを図１に模式的に示す。デジタル放送の配信データには、放送の内容である映像と音声に加えて、番組を特定するための番組ＩＤ、同期をとるための放送管理信号、実時刻を示す時刻情報をはじめ種々の情報や信号が含まれる。時刻情報は１０秒ごとに送信されるもので、ＴＯＴ（Time Offset Table）と呼ばれる。受信装置は、ＴＯＴを補間することにより秒単位の時刻を生成し、必要に応じてその時刻を映像に重ねて出力する。
【０００６】
放送管理信号には、番組とは関係なく送信されるＳＣＲ（System Clock Reference）と、番組ごとに送信されるＰＣＲ（Program Clock Reference）とがある。図２に、放送管理信号、映像信号、および音声信号の関係を模式的に示す。映像信号と音声信号は個別に送信され、映像信号や音声信号の間にＰＣＲおよびＳＣＲが挿入される。デジタル放送受信装置は、異なる時間に受信することになる映像信号と音声信号を、ＰＣＲまたはＳＣＲに基づいて同期を取って処理し、映像と音声を同時に出力する。
【０００７】
ＳＣＲは、３３ビットのカウンタの値であり、９０ｋＨｚでカウントアップされる。また、ＰＣＲは、４２ビットのカウンタの値であり、２７ＭＨｚでカウントアップされる。これらの信号は、そのままの周期で送信することはできないため、より長い周期τで送信される。具体的には、ＳＣＲの送信周期τは７００ｍｓ（ミリ秒）以下、ＰＣＲの送信周期τは１００ｍｓ以下と定められている。
【０００８】
デジタル放送受信装置は、ＰＣＲやＳＣＲとカウントアップ周期が同じで、受信したＰＣＲやＳＣＲと同期した基準カウンタを生成し、基準カウンタに従って映像信号や音声信号の処理を行う。基準カウンタはＰＣＲやＳＣＲが放送に挿入されていない期間にも継続して生成され、これにより、映像信号と音声信号力は常に同期して出力される。
【０００９】
なお、ＰＣＲおよびＳＣＲは、ＭＰＥＧ（Moving Picture Experts Group）によって規定されているもので、これらについて解説した文献は多々ある（例えば「最新ＭＰＥＧ教科書」参照）。
【非特許文献１】藤原洋監修「最新ＭＰＥＧ教科書」、アスキー出版
【発明の開示】
【発明が解決しようとする課題】
【００１０】
上述のように、デジタル放送には時間によって値が変化するＰＣＲ、ＳＣＲが含まれており、これらの信号の値は、時刻情報ＴＯＴと同様に、時間を表す情報となる。ところが、ＰＣＲやＳＣＲは、映像信号と音声信号の同期をとるという本来の目的で利用されているに過ぎず、視聴者の利用には供されていない。また、時刻を直接表すＴＯＴは、視聴者が時計として利用するために表示出力されるだけであり、他の目的には用いられていない。
【００１１】
つまり、デジタル放送には時間を示す情報がいくつか含まれているものの、それらの時間情報は、使用者が行った何らかの行動の時刻を特定するために用いられてはいない。例えば、チケット購入希望者の募集において、放送に含まれる時間情報に基づいて応募の順序を判定することは行われていない。
【００１２】
本発明は、このような点に鑑みてなされたもので、デジタル放送の視聴者の意思の表明を受け付けて、その表明時刻をデジタル放送に含まれる時間情報に基づいて証明するデジタル放送受信装置を提供することを目的とする。また、実際の通信時刻によらず、デジタル放送の視聴者の意思の表明時刻を的確に認証し得る通信システムを提供することを目的とする。
【課題を解決するための手段】
【００１３】
上記目的を達成するために、本発明では、デジタル放送受信装置は、使用者によって操作される操作部を備え、受信したデジタル放送に含まれる時間情報に基づいて、操作部が操作された時刻を表す操作時刻情報を生成するものとする。
【００１４】
この装置の使用者（デジタル放送の視聴者）は、操作部を操作することにより、自己の意思を表明して装置に知らせることができる。装置は、操作部が操作された時刻、すなわち、使用者が意思を表明した時刻を表す操作時刻情報を生成する。
【００１５】
ここで、操作時刻情報は、放送に含まれる時間情報に基づいて生成されるため、同じ放送を受信する全ての装置にわたって基準が同じになる。受信信号の内部処理の差により、映像や音声を出力する絶対的な時刻は受信装置によって多少異なるが、各受信装置の使用者が放送に反応して意思を表明する限り、複数の使用者の意思表明の時間差は、操作時刻情報が表す時刻の差として正確に現れる。
【００１６】
上記のデジタル放送受信装置は、映像信号と音声信号の同期を取るための信号を時間情報として用いて、操作時刻情報を生成するものとすることができる。映像信号と音声信号の同期を取るための信号は、１００ｍｓオーダーまたはそれ以下の周期で送信されるから、この信号に基づいて生成することで、操作時刻情報は高い精度を有するものとなる。
【００１７】
また、デジタル放送に含まれる時間情報よりも短い周期でカウンタ信号を出力するカウンタ生成部を備え、受信したデジタル放送に含まれる時間情報をカウンタ信号によって補間して、操作時刻情報を生成するようにしてもよい。このようにすると、操作時刻情報の精度を、デジタル放送に一定周期で含まれる時間情報よりも高くすることができる。
【００１８】
上記のデジタル放送受信装置は、操作時刻情報と、当該デジタル放送受信装置または当該デジタル放送受信装置の使用者を特定する使用者情報とを、使用者から指示された送信先に送信するものとすることができる。このようにすると、使用者すなわちデジタル放送の視聴者は、自己が意思を表明した時刻を、送信先の通信装置またはその使用者に知らせることができる。
【００１９】
前記目的を達成するために、本発明ではまた、操作時刻情報と使用者情報とを使用者から指示された送信先に送信する複数のデジタル放送受信装置と、各デジタル放送受信装置が送信する操作時刻情報と使用者情報とを受信して、受信した使用者情報を対応する操作時刻情報が表す時刻の順に並べるサーバで、通信システムを構成する。この通信システムでは、複数の視聴者を、それらの意思表明の時刻に従って、順序づけることができる。
【発明の効果】
【００２０】
本発明のデジタル放送受信装置では、操作部により使用者（視聴者）の何らかの意思の表明を受け付けて、生成する操作時刻情報によって意思の表明時刻を証明することができる。操作時刻情報は、放送に含まれる時間情報に基づいて生成されるから、客観的なものとなり、複数の装置の視聴者が意思を表明した時刻の判定に好適である。
【００２１】
本発明の通信システムでは、複数の装置の視聴者を、それらの意思表明の時刻に従って順序づけることができる。この通信システムを、例えば、デジタル放送によるチケット購入希望者の募集に対する応募の手段として用いれば、各視聴者は、応募の意思を表明した時刻が操作時刻情報によって明確になっているため、応募のための通信を任意の時に行うことが可能になる。その結果、通信の混雑が防止される。
【発明を実施するための最良の形態】
【００２２】
以下、本発明の実施形態について図面を参照しながら説明する。第１の実施形態であるデジタル放送受信装置１の構成を図３に模式的に示す。デジタル放送受信装置１は、制御部１０、デジタル放送チューナ１１、デコーダ１２、映像出力部１３、音声出力部１４、基準カウンタ生成部１５、操作部１６、記憶部１７、および通信部１８を備えている。
【００２３】
制御部１０は、ＣＰＵ１０ａを含んでおり、デジタル放送受信装置１の全体の動作を制御する。デジタル放送チューナ１１は、アンテナで受信される放送信号の中から、制御部１０によって指示されたチャンネルのものを選択する。
【００２４】
デコーダ１２は、チューナ１１によって選択されたチャンネルのデジタル放送に含まれる放送管理信号以外の信号を分離して出力する。図示しないが、デコーダ１２は分離した映像信号と音声信号をそれぞれ遅延させる遅延回路を有しており、映像信号の遅延時間と音声信号の遅延時間を相違させて、同期を取って（同時に）映像信号と音声信号を出力する。
【００２５】
映像出力部１３は、陰極線管（ＣＲＴ）表示器、液晶表示器、プラズマ表示器等を有し、デコーダ１２から出力される映像信号が表す映像を表示する。音声出力部１４は、１つまたは複数のスピーカを有し、デコーダ１２から出力される音声信号が表す音声を出力する。
【００２６】
基準カウンタ生成部１５は、高精度の水晶発振器を有しており、その発振出力によりＰＣＲやＳＣＲと同じ振動数（２７ＭＨｚまたは９０ｋＨｚ）でカウントアップするカウンタ信号を生成して、出力する。以下、このカウンタ信号を基準カウンタという。基準カウンタの値は、ＰＣＲやＳＣＲがデジタル放送チューナ１１から与えられたときに、ＰＣＲやＳＣＲの値と同じにされる。また、ＰＣＲやＳＣＲは、前述のように、１００ｍｓ以下または７００ｍｓ以下の周期で放送に挿入されるが、基準カウンタ生成部１５は、ＰＣＲやＳＣＲがデジタル放送チューナ１１から与えられない期間にも基準カウンタの出力を継続する。したがって、基準カウンタは放送局内でのＰＣＲやＳＣＲを再現したものとなる。
【００２７】
デコーダ１２は、この基準カウンタを用いて、映像信号と音声信号の出力の同期をとる。なお、基準カウンタは、映像出力部１３と音声出力部１４にも与えられ、制御部１０にも与えられる。
【００２８】
操作部１６は、使用者によって操作されるいくつかの操作部材を有し、使用者による操作を制御部１０に伝達する。操作部１６が有する操作部材には、チャンネルの選択、出力音量の調節等、デジタル放送の処理に関する指示を与えるためのもののほかに、通信に関する指示を与えるためのものが含まれ、さらに、時刻取得キー１６ａが含まれている。時刻取得キー１６ａは、後述の時刻情報を生成すべきことを制御部１０に指示するために操作される。
【００２９】
記憶部１７は、制御部１０のＣＰＵ１０ａが制御のために用いるプログラムおよびパラメータを記憶し、また、諸情報を記憶する。通信部１８は、放送以外の方法で他の装置と通信を行うためのもので、有線または無線の通信回線に接続される。通信部１８を備えるデジタル放送受信装置１は、電話の機能を有し、また、インターネットとの接続機能を有する。
【００３０】
なお、図３において、白抜きの矢印は放送に由来する信号の流れを表しており、細線の矢印は、デジタル放送受信装置１の固有の制御信号やデータの流れを表している。
【００３１】
制御部１０は、操作部１６の時刻取得キー１６ａが操作されたときに、基準カウンタの値に基づいてその時点での時刻を算出し、その時刻を所定の形式で表す時刻情報を生成する。そして、生成した時刻情報を記憶部１７に記憶させ、また、その時点でデコーダ１２より出力されている番組ＩＤを記憶部１７に記憶させる。基準カウンタの値はＰＣＲまたはＳＣＲの値を表しており、したがって、制御部１０によって生成される時刻情報が表す時刻は、放送を基準としたものとなる。
【００３２】
使用者は、記憶部１７に記憶している時刻情報と番組ＩＤを、通信部１８より他の装置に送信するよう指示することができる。記憶部１７に記憶している時刻や番組ＩＤを送信させるとき、使用者は、操作部１６を操作して送信先を示す情報、例えば送信先の電話番号やメールアドレス、を入力する。記憶部１７には、デジタル放送受信装置１やその使用者を特定するための情報、例えば受信装置１の電話番号、メールアドレス、使用者の氏名等があらかじめ記憶されており、制御部１０は、記憶部１７に記憶している時刻情報や番組ＩＤを送信するときには、これらと共に受信装置１や使用者を示す情報（以下、使用者情報という）を送信する。
【００３３】
したがって、使用者は送信先を指定し、送信開始を指示するだけで、時刻取得キー１６ａの操作によって取得した時刻と番組ＩＤと、受信装置１または自己を示す情報を、他の装置に送信することができる。
【００３４】
前述のように、基準カウンタ生成部１５はＰＣＲやＳＣＲと同じ値の基準カウンタを生成するが、基準カウンタは映像の出力と音声の出力を同期させるためのものであり、映像と音声が同時に出力される限り、基準カウンタの出力や映像と音声の出力の絶対的時刻には特別な制約はない。このため、異なる受信装置が同一のＰＣＲやＳＣＲに基づいて映像や音声を出力しても、受信装置間で出力にタイムラグが生じることがある。
【００３５】
この様子を図４に模式的に示す。この例は、受信装置Ａと受信装置Ｂが、同一のＰＣＲ（ＳＣＲ）に基づいて基準カウンタを生成し、その基準カウンタに従って映像や音声を出力したときのものであるが、ＰＣＲ（ＳＣＲ）の受信から映像や音声の出力までのタイムラグは、受信装置Ａよりも受信装置Ｂの方が長くなっている。
【００３６】
しかしながら、使用者が放送を視聴しながら、その内容に応じて時刻取得キー１６ａを操作する限り、映像や音声の出力からその操作までの時間差は、映像や音声の出力のタイムラグには依存せず、放送内容に対する視聴者の反応の早さを表すことになる。図４の例では、タイムラグの大きい受信装置Ｂの方がタイムラグの小さい装置Ａよりも遅く時刻を取得しているが、映像や音声の出力から時刻取得までの時間Ｔａ、Ｔｂは受信装置Ａよりも受信装置Ｂの方が短く（Ｔｂ＜Ｔａ）、受信装置Ｂの使用者の方が受信装置Ａの使用者よりも放送内容に早く反応している。
【００３７】
このように、デジタル放送受信装置１が使用者の操作に応じて生成する時刻は、デジタル放送を基準としたものであり、絶対的なものではないが、放送に対する使用者の反応の早さを正しく表す。
【００３８】
なお、前述のように、ＰＣＲは４２ビットのカウンタ値、ＳＣＲは３３ビットのカウンタ値であり、大きな値まで表すことができるが、ＰＣＲは２７ＭＨｚでカウントアップされ、ＳＣＲは９０ｋＨｚでカウントアップされるから、ＰＣＲは約４５．２時間で、ＳＣＲは約２６．５時間で、値が一巡することになる。通常の番組にはこのように長時間のものはないが、これよりも長時間の番組が放送される可能性もあり、その場合は、ＰＣＲやＳＣＲの値が一巡して、誤った時刻を表す時刻情報を生成する可能性がある。
【００３９】
そこで、制御部１０は、番組ＩＤと基準カウンタの値とを常時監視し、同一番組の途中で基準カウンタの値が一巡したときは、その回数を記憶しておく。そして、時刻取得キー１６ａが操作されたときに、基準カウンタの値が一巡した回数が１以上であるか否かを判定し、判定結果が真のときには、基準カウンタが表し得る最大の値（ＰＣＲやＳＣＲが表し得る最大の値）に基準カウンタの値が一巡した回数を乗じて、その積をその時点での値に加えて、これを時刻情報生成に用いる。これで、きわめて長時間の番組でも、正しい時刻を表す時刻情報を生成することができる。なお、図３に示すように、デコーダ１２から制御部１０にＴＯＴを出力して、時刻を直接表すこのＴＯＴを参照して、ＰＣＲやＳＣＲの値が一巡した回数を判定するようにしてもよい。
【００４０】
第２の実施形態である通信システムについて説明する。本実施形態の通信システム２に、放送局４とインターネット５を加えた構成を図５に模式的に示す。通信システム２は、複数のデジタル放送受信装置１とサーバ３より成る。各デジタル放送受信装置１は、第１の実施形態で説明したものであり、放送局４からのデジタル放送を受信し、使用者の操作に応じて時刻を取得（時刻情報を生成）し、インターネット５を介して通信する機能を有する。
【００４１】
図示しないが、サーバ３はＣＰＵを含む制御部と通信部を備えており、各デジタル放送受信装置１から送信される時刻情報と使用者情報をインターネット５を介して受信して、受信した使用者情報を、共に受信した時刻情報が示す時刻の順に並べる。前述のように、デジタル放送受信装置１が生成する時刻情報は、放送内容に対する使用者の反応の早さを表すものであるから、時刻情報に従って並べた使用者情報により、放送に対して早く反応した視聴者が判る。
【００４２】
通信システム２の利用態様の一例を以下に示す。これは、放送局４よりチケットの購入希望者を募集する内容の番組を放送し、その応募の受け付けを通信システム２のサーバ３によって行う場合のものである。放送局４から放送する内容の例を図６に示し、その放送を視聴した使用者が、デジタル放送受信装置１からサーバ３に送るデータの例を図７に示す。
【００４３】
図６に示すように、ここでは、所定数のチケットを希望者に販売し、希望者が多いときには「時刻早期取得順方式」で当選者を決定するという内容の番組が放送されている。「時刻早期取得順方式」とは、放送を基準とする一定期間内の時刻を早く取得した視聴者から順に当選者とする方式である。この番組は４月１日の１９：００から放送されており、一定期間、すなわち取得した時刻が有効とされる期間は、同日の１９：１５頃から２１：００頃までとされている。
【００４４】
この番組では、１９：１５丁度またはこれに近い時刻になると、有効期間の開始を知らせる映像または音声を送信し、２１：００丁度またはこれに近い時刻になると、有効期間の終了を知らせる映像または音声を送信する。また、その間、有効期間が進行中であることを示す映像または音声を、適宜送信する。チケットの購入を希望する視聴者は、１９：１５少し前から時刻取得キー１６ａを操作する準備をしておき、有効時刻の開始を示す映像または音声が出力された時点で、時刻取得キー１６ａを操作することになる。
【００４５】
各視聴者は、取得した時刻を表す時刻情報を、直ちに送信する必要はなく、番組が定める応募期間内であれば、任意の時に送信することができる。この例では、有効期間の開始から１５分後の１９：３０より応募の受付を行うようにしている。また、応募は電子メールによって行うようにしている。使用者は、放送で示されたメールアドレスを送信先として、デジタル放送受信装置１に入力する。
【００４６】
図７に示すように、各デジタル放送受信装置１から応募のために送信する電子メールの内容には、番組ＩＤと時刻情報に加え、使用者情報が含まれる。この例では、使用者情報として、使用者の氏名とデジタル放送受信装置１のメールアドレスを記すようにしている。
【００４７】
サーバ３は、応募期間の終了後、受信した電子メールに記されている番組ＩＤと時刻情報を参照して、当選者を決定する。具体的には、募集放送と同一の番組ＩＤが記されている電子メールを選択し、選択した電子メールに記されている使用者情報（つまり視聴者）を、各電子メールに記されている時刻情報が表す時刻の早い順に並べて、有効期間内に入っているものを当選候補とする。当選候補の視聴者の数が募集人数以下のときは、全ての当選候補の視聴者を当選者とし、当選候補の視聴者の数が募集人数を超えるときは、当選者を募集人数に限る。
【００４８】
なお、ここでは、サーバ３の管理者が募集番組の番組ＩＤと募集人数をサーバ３に入力しておき、サーバ３が自動的に当選者を決定するようにしているが、サーバ３は、少なくとも、時刻情報が表す時刻の順に使用者情報を並べる機能を有すればよい。番組ＩＤ、有効時刻、および募集人数に基づく当選者の決定は、比較的容易であり、サーバ３の管理者が行うことができる。また、別の装置で行うようにすることもできる。
【００４９】
本実施形態では、応募の送信先を使用者がデジタル放送受信装置１に入力するようにしているが、送信先を示す情報を、番組ＩＤのように、取り出し易い形態で放送に含めて、デジタル放送受信装置１が時刻取得キー１６ａの操作に応じて自動的に取得するようにしてもよい。
【００５０】
また、上記の各実施形態では、デジタル放送受信装置１に通信部１８を備えて、デジタル放送受信装置１自体が、時刻情報を送信し得るようにしているが、デジタル放送受信装置１は、使用者の操作に応じて時刻情報を生成する機能と、生成した時刻情報を何らかの形態で出力する（例えば表示する）機能を有すればよい。時刻情報の送信は他の通信装置で行うことが可能である。番組ＩＤについては、番組を区別する必要があるときにのみ、取得して出力するようにすればよく、その必要がないときには、ＳＣＲに基づいて時刻情報を生成することで、放送を基準とした時刻を表すことができる。
【００５１】
時刻を直接表すＴＯＴに基づいて、時刻情報を生成することも可能である。しかしながら、デジタル放送にはＴＯＴよりも精度の高いＰＣＲやＳＣＲが含まれているのであるから、ここに示したように、ＰＣＲやＳＣＲに基づいて時刻情報を生成するのが好ましい。また、ここでは、ＰＣＲまたはＳＣＲを補間した基準カウンタを用いて時刻情報を生成するようにしているが、ＰＣＲやＳＣＲ自体が１００ｍｓまたは７００ｍｓという精度を有しているため、時刻情報に必要な精度が１ｓ（秒）程度であれば、ＰＣＲやＳＣＲが表す時刻を直接用いて時刻情報を生成することもできる。
【００５２】
本発明のデジタル放送受信装置１は、大型の据え置き式とすることができるし、小型の携帯式とすることもできる。据え置き式とするときは、時刻取得のための操作を容易にするために、無線によって操作部１６から制御部１０に信号を送るリモートコントロール方式とするのが好ましい。
【図面の簡単な説明】
【００５３】
【図１】デジタル放送で配信されるデータを模式的に示す図。
【図２】放送管理信号、映像信号、および音声信号の関係を模式的に示す図。
【図３】第１の実施形態のデジタル放送受信装置の構成を模式的に示す図。
【図４】受信装置ごとに出力にタイムラグが生じる様子と、上記デジタル放送受信装置が取得する時刻にラグライムが影響しないことを示す図。
【図５】第２の実施形態の通信システムの構成と、放送局およびインターネットとの関係を模式的に示す図。
【図６】上記通信システムの一利用形態における放送局から放送する内容の例を示す図。
【図７】上記通信システムの上記利用形態におけるデジタル放送受信装置の送信データの例を示す図。
【符号の説明】
【００５４】
１    デジタル放送受信装置
１０    制御部
１０ａ  ＣＰＵ
１１    デジタル放送チューナ
１２    デコーダ
１３    映像出力部
１４    音声出力部
１５    基準カウンタ生成部
１６    操作部
１６ａ  時刻取得キー
１７    記憶部
１８    通信部
２    通信システム
３    サーバ
４    放送局
５    インターネット
【図１】
2005278049.tif 000003
【図２】
2005278049.tif 000004
【図３】
2005278049.tif 000005
【図４】
2005278049.tif 000006
【図５】
2005278049.tif 000007
【図６】
2005278049.tif 000008
【図７】
2005278049.tif 000009